(57)【特許請求の範囲】
【請求項１】
カラオケデータベースと、作品対照テーブルと、外部メディア読取手段と、演奏手段と、再生手段と、制御手段と、表示手段と、利用者入力手段を備えたカラオケ装置であって、
カラオケデータベースは、楽曲ごとのカラオケデータをカラオケ楽曲ＩＤに対応づけて集約し、
作品対照テーブルは、カラオケ楽曲ＩＤと、当該ＩＤと同一楽曲の楽曲作品識別情報を対応付けし、
外部メディア読取手段は、利用者のパーソナルメディアが着脱自在であり、パーソナルメディアに収蔵された楽曲作品集合を読取可能であり、
演奏手段は、カラオケデータに従ってカラオケ楽曲を演奏可能であり、
再生手段は、パーソナルメディアの楽曲作品を再生可能であり、
制御手段は、第１〜第４処理を可能とし、
第１処理は、パーソナルメディアから楽曲作品集合を読取り、当該楽曲作品集合に基づいて楽曲作品識別情報を表示手段に列挙表示させるとともに楽曲作品識別情報を特定する利用者入力と、カラオケ演奏かパーソナルメディア再生の区別の入力を受け付け、
第２処理は、第１処理にて特定された楽曲作品識別情報に基づいて作品対照テーブルから当該楽曲作品識別情報に該当するカラオケ楽曲ＩＤを抽出して待ち行列に登録するとともに、第１処理で受け付けた区別情報を当該楽曲ＩＤに対応付けて記憶し、
第３処理は、待ち行列の先頭のカラオケ楽曲ＩＤにパーソナルメディア再生の区別情報が対応付けされていない場合、当該カラオケ楽曲ＩＤに従って該当のカラオケデータを演奏手段に演奏させ、
第４処理は、待ち行列の先頭のカラオケ楽曲ＩＤにパーソナルメディア再生の区別情報が対応付けされている場合、当該カラオケ楽曲ＩＤに該当するパーソナルメディアの楽曲作品を再生手段に再生させる
カラオケ装置。
【発明の詳細な説明】
【技術分野】
【０００１】
この発明は、利用客が所有し持参する外部記憶メディアに登録されている楽曲リストを取り入れてカラオケ楽曲の演奏予約ができるカラオケ装置に関する。
【背景技術】
【０００２】
携帯音楽プレーヤーを日常的に携帯して音楽を楽しむ若者が激増している。このような携帯音楽プレーヤーは、本体の内蔵メモリや着脱可能なメモリ媒体に、ＣＤなどからｍｐ３など低容量形式に変換して多数の楽曲作品ファイルを蓄積記憶できるだけでなく、自宅のパソコンなどを利用してインターネット経由で楽曲作品ファイルを取り込める形態のものが人気を博している。さらに、携帯音楽プレーヤーに収録された多数の楽曲作品の目次情報などを自宅のパソコンで管理できるソフトウェアも広く利用されている。たとえば非特許文献１に開示されているｉＴｕｎｅと呼ばれるソフトウェアがよく知られている。このソフトウェア業者が運営するインターネット上のサーバーで、市場で取引されているＣＤに収録されている楽曲作品やインターネットで購入可能な楽曲作品の目次情報や録音時間などを管理しており、このソフトウェアにより、利用者が所持する携帯音楽プレーヤーに市販のＣＤから読み込んだりインターネット経由で購入して記憶させた楽曲について、その目次情報などをインターネット経由でサーバーから取り寄せて記憶・管理できる。
【非特許文献１】アップルジャパン株式会社「iPod＋iTunes」、[online]、[平成１９年８月２９日検索]、インターネット<URL：http://www.apple.com/jp/itunes/>
【発明の開示】
【発明が解決しようとする課題】
【０００３】
カラオケ装置は、リモコン装置などのユーザインタフェースを介して受け付けた予約楽曲の楽曲ＩＤを演奏処理の待ち行列に登録し、待ち行列から順番に楽曲ＩＤを取り出してその楽曲を次々と演奏する。
【０００４】
利用者が、自分の歌いたい楽曲を目次本を使ってあれこれ検索して予約する操作は、カラオケの際の楽しみの一つにもなっている反面、いつもお決まりの楽曲を予約する利用者が多いので、毎回いちいち検索しながら選曲するのは面倒でもある。そのような面倒を解消するために、あらかじめ個人別の曲目リストを作っておいて予約時に利用できる選曲装置などもよく知られている（特許第３５９５２９２号公報参照）。
【０００５】
本出願人は、音楽好きな若者の多くが、常日頃から携帯音楽プレーヤーを持ち歩いて利用していることに着目し、携帯音楽プレーヤーに記憶されている楽曲作品のリストをカラオケ予約リストにそのまま取り込むことができれば、好きな曲を簡単にカラオケで歌唱できるので、さらに便利で楽しくなると考え、本発明を創作した。
【課題を解決するための手段】
【０００６】
この発明に係るカラオケ装置は、つぎの事項（１）〜（10）により特定されるものである。  
（１）カラオケデータベースと、作品対照テーブルと、外部メディア読取手段と、演奏手段と、再生手段と、制御手段と、表示手段と、利用者入力手段を備えたカラオケ装置であること
（２）カラオケデータベースは、楽曲ごとのカラオケデータをカラオケ楽曲ＩＤに対応づけて集約すること
（３）作品対照テーブルは、カラオケ楽曲ＩＤと、当該ＩＤと同一楽曲の楽曲作品識別情報を対応付けすること
（４）外部メディア読取手段は、利用者のパーソナルメディアが着脱自在であり、パーソナルメディアに収蔵された楽曲作品集合を読取可能であること
（５）演奏手段は、カラオケデータに従ってカラオケ楽曲を演奏可能であること
（６）再生手段は、パーソナルメディアの楽曲作品を再生可能であること
（７）制御手段は、第１〜第４処理を可能とすること
（８）第１処理は、パーソナルメディアから楽曲作品集合を読取り、当該楽曲作品集合に基づいて楽曲作品識別情報を表示手段に列挙表示させるとともに楽曲作品識別情報を特定する利用者入力と、カラオケ演奏かパーソナルメディア再生の区別の入力を受け付けること
（９）第２処理は、第１処理にて特定された楽曲作品識別情報に基づいて作品対照テーブルから当該楽曲作品識別情報に該当するカラオケ楽曲ＩＤを抽出して待ち行列に登録するとともに、第１処理で受け付けた区別情報を当該楽曲ＩＤに対応付けて記憶すること
（10）第３処理は、待ち行列の先頭のカラオケ楽曲ＩＤにパーソナルメディア再生の区別情報が対応付けされていない場合、当該カラオケ楽曲ＩＤに従って該当のカラオケデータを演奏手段に演奏させること
（11）第４処理は、待ち行列の先頭のカラオケ楽曲ＩＤにパーソナルメディア再生の区別情報が対応付けされている場合、当該カラオケ楽曲ＩＤに該当するパーソナルメディアの楽曲作品を再生手段に再生させること
【発明の効果】
【０００７】
本発明のカラオケ装置によれば、多くの音楽好きな若者が日常的に所持する携帯音楽プレーヤーの楽曲作品リストをそのままカラオケの演奏予約曲リストに取り込むことができる。そのため、カラオケの操作性が向上する。音楽は好きでもカラオケで歌うことが少ない利用客に対しても、簡単かつ気軽にカラオケで歌う機会を作ることができるので、カラオケ利用者層が拡大する効果を期待できる。
【発明を実施するための最良の形態】
【０００８】
＝＝＝カラオケ装置の基本構成＝＝＝
図１に本実施例におけるカラオケ装置の構成を例示した。本実施例のカラオケ装置は、周知の通信カラオケシステムの一部であり、複数の客室１２０を備えたカラオケ店舗において、同室内にあるカラオケ演奏端末（以下、演奏端末１０）と、当該演奏端末を操作するための客室端末２０とで構成される。カラオケ店舗にはＬＡＮ１１０が敷設され、このＬＡＮ１１０を介して各客室の演奏端末１０と同室内の客室端末２０とが通信する。
【０００９】
客室端末２０は、タッチパネルを主要なユーザインタフェースとしたタブレットコンピュータと同様のハードウェア構成であり、所定規格の無線ＬＡＮインタフェースを実装する。内蔵する外部記憶に、演奏予約などの操作対象となる同室内の演奏端末１０の所在情報（ＩＰアドレスなど）を記憶しており、無線アクセスポイント４０を介してＬＡＮ１１０に接続し、演奏端末１０と通信する。また、インストールされているプログラムの実行によりＧＵＩを通じて利用者と対話し、楽曲の演奏予約など、演奏端末１０を操作するためのリモコン装置として機能する。
【００１０】
＝＝＝演奏端末１０の基本構成と通常演奏機能＝＝＝
演奏端末１０は、汎用パソコンの応用装置である。図２にそのブロック構成を例示した。中央制御部１１は周辺構成部を制御して演奏端末１０を統括する。ハードディスク装置１２には、メインコンピュータのプログラムのほか、伴奏音楽や歌詞画像の起源となるカラオケデータを楽曲ＩＤに対応付けして記憶している。
【００１１】
客室端末２０の外部記憶には、演奏端末１０にて演奏可能なカラオケ楽曲について、曲名・アーティスト名・楽曲ジャンルなどの目次情報を、楽曲ＩＤに対応付けして集約した楽曲索引データベースが記憶されている。客室端末２０は、タッチパネルを介した利用者との対話を通じて、利用者の希望する楽曲の目次情報を楽曲索引データベースから検索して提示する。そして、客室端末２０において最終的に１曲に特定されたカラオケ楽曲を演奏予約する旨の利用者の指示入力がなされると、その楽曲の楽曲ＩＤを含む演奏予約電文を同室内の演奏端末１０に転送する。
【００１２】
演奏端末１０の中央制御部１１は、客室端末２０から送信されてきた楽曲ＩＤを受け付けたり、操作／表示パネル１３に入力された楽曲ＩＤを受け付けたりすると、その楽曲ＩＤを受け取った順にＲＡＭなどに格納し、その受付順に格納された楽曲ＩＤを演奏処理の待ち行列として管理する。そして、待ち行列から登録順に楽曲ＩＤを取り出して、その楽曲ＩＤに該当するカラオケデータを取り出す。待ち行列の先頭から楽曲ＩＤを取り出すと、その楽曲ＩＤの次に受け付けた楽曲ＩＤが待ち行列の先頭になる。
【００１３】
中央制御部１１の制御により、取り出されたカラオケデータに基づいて、演奏処理部１５が伴奏音楽の音楽信号を生成し、マイクロホンに入力された歌声信号とミキシングアンプ１６で混合・増幅してスピーカより音響出力する。また、映像処理部１７が、背景映像に演奏の進行に同期して色変わりする歌詞字幕をスーパーインポーズ処理してディスプレイ１８に映像出力する。
【００１４】
＝＝＝楽曲作品リストと作品対照テーブル＝＝＝
本実施例の演奏端末１０は、外部メディア読み取り装置１９が備わり、これにｍｐ３などの所定形式の楽曲作品を収録する携帯音楽プレーヤーや記憶媒体（パーソナルメディア）を接続することにより、そのメモリ内容を読み取ることができる。この外部メディア読み取り装置１９で読み取り可能な利用者所有のメディアには、収録されている複数の楽曲作品について、楽曲作品識別情報に対応付けられて、楽曲名やアーティスト名、演奏時間などの作品目次情報と、楽曲作品データが含まれている。
【００１５】
そして、利用者が持参のプレーヤーを外部メディア読取装置１９に接続することにより、演奏端末１０は、楽曲作品データを読み取って、その楽曲作品データを中央制御部１１の制御により演奏処理部１５が再生してスピーカに出力することが可能である。
【００１６】
また、ディスプレイ１８には、収録されている楽曲作品の曲名やアーティスト名、録音時間などの作品目次情報が楽曲識別情報とともに一覧的に表示される。客室端末２０が演奏端末１０と通信することにより、この楽曲作品リストをタッチパネルにも表示可能である。
【００１７】
演奏端末１０は、作品対照テーブルをハードディスク装置１２に格納して管理している。作品対照テーブルは、図３にそのデータ論理構成を例示しているように、カラオケで演奏可能な楽曲の楽曲ＩＤと、外部メディア読取り装１９で読取り可能な楽曲作品の楽曲作品識別情報との対応付けを記述したものである。この作品対照テーブルは、カラオケ事業者により作成され、カラオケデータ配信時などに演奏端末１０に配信されている。また、客室端末２０においても、演奏端末１０と適時にデータ通信して、演奏端末１０と同様の作品対照テーブルを格納し管理している。
【００１８】
＝＝＝楽曲作品演奏予約機能＝＝＝
本実施例に係るカラオケ装置は、利用者が持参の携帯音楽プレーヤーを演奏端末１０の外部メディア読取装置１９に接続して、ディスプレイ１８や客室端末２０のタッチパネルに一覧表示された楽曲作品の中から選択指定した曲をカラオケで演奏予約させる機能を備えている。
【００１９】
図４に本実施例にかかる楽曲作品演奏予約機能に関わる処理フローを例示している。本実施例においては、この処理に関するユーザインタフェース環境を、客室端末２０のタッチパネルに構成している。先述したように、利用者が外部メディア読取り装置１９に所持する携帯音楽プレーヤーを接続すると、そのメモリ内に収録されている楽曲作品について、その一覧が表示される（ｓ１〜ｓ２）。外部メディア読取り装置１９で読み取った楽曲作品の一覧表示の中から、利用者が所定の操作により楽曲を選択指定すると（ｓ３）、客室端末２０は該当曲の識別情報を作品対照テーブルと対比させ、対応する楽曲ＩＤを抽出し（ｓ４）、当該楽曲ＩＤを含む予約電文を生成して演奏端末１０に転送する（ｓ８）。演奏端末１０は、その楽曲ＩＤを演奏予約の待ち行列に登録する（ｓ９）。
【００２０】
利用者が楽曲を選択指定する際には、その楽曲をカラオケ演奏させるか、楽曲作品データをそのまま再生させるか、いずれかを選択できるユーザインタフェース環境になっている（ｓ５）。そして、利用者が楽曲作品データの再生を選択した場合には（ｓ５→ｓ６）、予約電文にその旨が含められて演奏端末１０に転送される（ｓ６）。その場合には、待ち行列には楽曲ＩＤに楽曲作品再生フラグが付加されて登録される（ｓ７）。
【００２１】
演奏端末１０の中央制御部１１は、通常演奏の際と同様に、待ち行列から順に登録されている楽曲ＩＤを取り出す。取り出した楽曲ＩＤに楽曲作品再生フラグが付加されていた場合には、カラオケデータを取り寄せて演奏処理部１５に転送する通常演奏処理を行なうかわりに、作品対照テーブルを参照するとともに外部メディア読取り装置１９にアクセスし、楽曲ＩＤに対応する楽曲作品データを取り出して、演奏処理部１５に転送して再生させる。  
なお、言うまでもないことではあるが、待ち行列から取り出した楽曲ＩＤに楽曲作品再生フラグが付加されていない場合は、該当のカラオケデータを取り出して演奏処理部１５に引き渡す通常演奏処理を行なう。
【００２２】
＝＝＝他の実施形態＝＝＝
外部メディア読取り装置１９から読み取った楽曲作品リストの中から、利用者の選択指定（ｓ３）によることなく、演奏端末１０の制御部１１によりランダムに、あるいは収録の新しい順や再生履歴の新しい順に、所定数曲を選択して演奏端末１０の待ち行列に登録する構成にもできる。
【００２３】
作品対照テーブルに、楽曲作品リスト中の楽曲作品識別情報に対応する楽曲ＩＤが存在しない場合には、たとえば仮の楽曲ＩＤをふり出して演奏端末１０で識別するとともに、作品再生フラグを付加するようにしてもよい。
【００２４】
外部メディア読取り装置１９から楽曲作品データを読み出すタイミングは、待ち行列に楽曲作品再生フラグが付加された楽曲ＩＤが登録されるタイミング（ｓ７）にて、ＲＡＭなどに一時記憶させておいてもよい。利用者は待ち行列の順番を待たずに、その時点で携帯音楽プレーヤーを外部メディア読取り装置１９から取り外すことができる。
【図面の簡単な説明】
【００２５】
【図１】本実施例に係るカラオケ装置の構成を例示している。
【図２】本実施例に係る演奏端末のハードウェア構成を例示している。
【図３】本実施例に係る作品対照テーブルのデータ論理構成を例示している。
【図４】本実施例に係る楽曲作品演奏予約の処理フロー図である。
【符号の説明】
【００２６】
１０  演奏端末
１１  中央制御部
２０  客室端末
【図１】
0004995021.tif 000002
【図２】
0004995021.tif 000003
【図３】
0004995021.tif 000004
【図４】
0004995021.tif 000005